(57)【特許請求の範囲】
【請求項１】
第１厚さを有し、第１端子と溶接されている第１プレート部であって、第１端及び第２端を有する第１プレート部と、
前記第１厚さと同じ第２厚さを有し、第２端子と溶接されており、前記第１プレート部に対して平行に延びている第２プレート部であって、第１端及び第２端を有する第２プレート部と、
前記第１プレート部の第１端及び前記第２プレート部の第１端に結合され、且つ前記第１プレート部の第１端及び前記第２プレート部の第１端の間に位置する第１振動減衰部であって、前記第１プレート部で誘導された振動の一部が前記第１振動減衰部を通って前記第２プレート部に伝達される時、前記第１プレート部で誘導された振動が弱まるように、前記第１厚さよりも大きい第３厚さを有する第１振動減衰部と、
を含み、
前記第１厚さと同じ第４厚さを有し、第３端子と溶接され、前記第２プレート部に対して平行に延びている第３プレート部であって、第１端及び第２端を有する第３プレート部と、
前記第２プレート部の第２端及び前記第３プレート部の第２端に結合され、且つ前記第２プレート部の第２端及び前記第３プレート部の第２端の間に位置する第２振動減衰部であって、前記第２プレート部で誘導された振動の一部が前記第２振動減衰部を通って前記第３プレート部に伝達される時、前記第２プレート部で誘導された振動が弱まるように、前記第２厚さよりも大きい第５厚さを有する第２振動減衰部と、
をさらに含むことを特徴とする、電池モジュールの相互連結部材。
【請求項２】
前記第１振動減衰部は、第４及び第５プレート部で構成されており、前記第５プレート部の表面が前記第４プレート部の表面と接触するように前記第５プレート部が折れ曲がっていることを特徴とする、請求項１に記載の相互連結部材。
【請求項３】
前記第１及び第２振動減衰部は、前記第２プレート部の対向端部に連結され、前記第２振動減衰部は前記第１振動減衰部と平行になっていることを特徴とする、請求項１に記載の相互連結部材。
【請求項４】
前記第３厚さは、前記第１厚さの少なくとも２倍の厚さであることを特徴とする、請求項１に記載の相互連結部材。
【請求項５】
前記第１プレート部、前記第２プレート部、及び前記第１振動減衰部はそれぞれ、電気伝導性物質で構成されていることを特徴とする、請求項１に記載の相互連結部材。
【請求項６】
少なくとも第１端子を有する第１電池セルと、
少なくとも第２端子を有する第２電池セルと、
少なくとも第３端子を有する第３電池セルと、
相互連結部材と、
を備えており、
前記相互連結部材は、
第１厚さを有し、前記第１端子と溶接されている第１プレート部であって、第１端及び第２端を有する第１プレート部と、
前記第１厚さと同じ第２厚さを有し、前記第２端子と溶接されており、前記第１プレート部に対して平行に延びている第２プレート部であって、第１端及び第２端を有する第２プレート部と、
前記第１厚さと同じ第３厚さを有し、前記第３端子と溶接されており、前記第２プレート部に対して平行に延びている第３プレート部であって、第１端及び第２端を有する第３プレート部と、
前記第１プレート部の第１端及び前記第２プレート部の第１端に結合され、且つ前記第１プレート部の第１端及び前記第２プレート部の第１端の間に位置する第１振動減衰部であって、前記第１プレート部で誘導された振動の一部が前記第１振動減衰部を通って前記第２プレート部に伝達される時、前記第１プレート部で誘導された振動が弱まるように、前記第１厚さよりも大きい第４厚さを有する第１振動減衰部と、
前記第２プレート部の第２端及び前記第３プレート部の第２端に結合され、且つ前記第２プレート部の第２端及び前記第３プレート部の第２端の間に位置する第２振動減衰部であって、前記第２プレート部で誘導された振動の一部が前記第２振動減衰部を通って前記第３プレート部に伝達される時、前記第２プレート部で誘導された振動が弱まるように、前記第２厚さよりも大きい第５厚さを有する第２振動減衰部と、
を含むことを特徴とする、電池モジュール。
【請求項７】
第１厚さを有し、第１端子と溶接されている第１プレート部であって、第１端及び第２端を有する第１プレート部と、
前記第１厚さと同じ第２厚さを有し、第２端子と溶接されており、前記第１プレート部に対して平行に延びている第２プレート部であって、第１端及び第２端を有する第２プレート部と、
前記第１厚さと同じ第３厚さを有し、第３端子と溶接されており、前記第２プレート部に対して平行に延びている第３プレート部であって、第１端及び第２端を有する第３プレート部と、
前記第１厚さと同じ第４厚さを有し、第４端子と溶接されており、前記第３プレート部に対して平行に延びている第４プレート部であって、第１端及び第２端を有する第４プレート部と、
前記第１、第２、第３及び第４プレート部に対して垂直に配列された第１、第２及び第３振動減衰部と、
を含み、
前記第１振動減衰部は、前記第１プレート部の第１端と前記第２プレート部の第１端に結合され、且つ前記第１プレート部の第１端と前記第２プレート部の第１端の間に位置しており、
前記第２振動減衰部は、前記第２プレート部の第２端と前記第３プレート部の第２端に結合され、且つ前記第２プレート部の第２端と前記第３プレート部の第２端の間に位置しており、前記第２振動減衰部は、振動の一部が前記第１振動減衰部及び前記第２振動減衰部を通って前記第３プレート部に伝達される時、前記第１プレート部で誘導された振動が弱まるように、前記第１厚さよりも大きい第５厚さを有し、
前記第３振動減衰部は、前記第３プレート部の第１端と前記第４プレート部の第１端に結合され、且つ前記第３プレート部の第１端と前記第４プレート部の第１端の間に位置していることを特徴とする、電池モジュールの相互連結部材。
【請求項８】
第５厚さは、前記第１厚さの少なくとも４倍の厚さであることを特徴とする、請求項７に記載の相互連結部材。
【請求項９】
少なくとも第１端子を有する第１電池セルと、
少なくとも第２端子を有する第２電池セルと、
少なくとも第３端子を有する第３電池セルと、
少なくとも第４端子を有する第４電池セルと、
相互連結部材と、
を備えており、
前記相互連結部材は、
第１厚さを有し、前記第１端子と溶接されている第１プレート部であって、第１端及び第２端を有する第１プレート部と、
前記第１厚さと同じ第２厚さを有し、前記第２端子と溶接されており、前記第１プレート部に対して平行に延びている第２プレート部であって、第１端及び第２端を有する第２プレート部と、
前記第１厚さと同じ第３厚さを有し、前記第３端子と溶接されており、前記第２プレート部に対して平行に延びている第３プレート部であって、第１端及び第２端を有する第３プレート部と、
前記第１厚さと同じ第４厚さを有し、前記第４端子と溶接されており、前記第３プレート部に対して平行に延びている第４プレート部であって、第１端及び第２端を有する第４プレート部と、
前記第１、第２、第３及び第４プレート部に対して垂直に配列された第１、第２及び第３振動減衰部と、
を含み、
前記第１振動減衰部は、前記第１プレート部の第１端と前記第２プレート部の第１端に結合され、且つ前記第１プレート部の第１端と前記第２プレート部の第１端の間に位置しており、
前記第２振動減衰部は、前記第２プレート部の第２端と前記第３プレート部の第２端に結合され、且つ前記第２プレート部の第２端と前記第３プレート部の第２端の間に位置しており、前記第２振動減衰部は、振動の一部が前記第１振動減衰部及び前記第２振動減衰部を通って前記第３プレート部に伝達される時、前記第１プレート部で誘導された振動が弱まるように、前記第１厚さよりも大きい第５厚さを有し、
前記第３振動減衰部は、前記第３プレート部の第１端と前記第４プレート部の第１端に結合され、且つ前記第３プレート部の第１端と前記第４プレート部の第１端の間に位置していることを特徴とする、電池モジュール。
【発明の詳細な説明】
【技術分野】
【０００１】
本発明は、振動減衰部を有する相互連結部材を備えた電池モジュールに関する。
【背景技術】
【０００２】
電池モジュールは、電池端子が電気的に相互結合するように相互連結部材を利用する。しかし、相互連結部材が電池端子と超音波溶接されるとき、該相互連結部材は相互連結部材上で既存の溶接結合を低下させ、振動が伝達されることがある。
【発明の概要】
【発明が解決しようとする課題】
【０００３】
本出願の発明者らは、上記の問題を除去及び／又は最小化できる向上した相互連結部材の必要性を認識することとなった。
【課題を解決するための手段】
【０００４】
本発明の一実施例に係る電池モジュールの相互連結部材が提供される。該相互連結部材は、第１厚さを有する第１プレート部を含む。前記相互連結部材はまた、第１厚さと同じ第２厚さを有する第２プレート部を含む。前記第２プレート部は、第１プレート部に対して全般的に平行に延びている。前記相互連結部材はまた、第１及び第２プレート部に結合された第１振動減衰部を含む。前記第１振動減衰部は、振動の一部が第２プレート部を通って前記第１振動減衰部に伝達される時、第１プレート部で誘導された振動が弱まるように、前記第１厚さよりも大きい第３厚さを有する。
【０００５】
本発明の他の実施例に係る電池モジュールが提供される。前記電池モジュールは、少なくとも第１端子を有する第１電池セル、及び少なくとも第２端子を有する第２電池セルを備える。前記電池モジュールはまた、第１厚さを有し、前記第１端子と溶接されている第１プレート部を含む相互連結部材を備える。前記相互連結部材はまた、第１厚さと同じ第２厚さを有し、前記第２端子と溶接されている第２プレート部を含む。前記第２プレート部は、第１プレート部に対して全般的に平行に延びている。前記相互連結部材はまた、第１及び第２プレート部に結合された第１振動減衰部を含む。前記第１振動減衰部は、振動の一部が第２プレート部を通って前記第１振動減衰部に伝達される時、第１プレート部で誘導された振動が弱まるように、前記第１厚さよりも大きい第３厚さを有する。
【０００６】
本発明の他の実施例に係る電池モジュールの相互連結部材が提供される。該相互連結部材は、第１厚さを有する第１プレート部を含む。該相互連結部材はまた、第１厚さと同じ第２厚さを有する第２プレート部を含む。該第２プレート部は、第１プレート部に対して全般的に平行に延びている。前記相互連結部材はまた、第１厚さと同じ第３厚さを有する第３プレート部を含む。該第３プレート部は、第２プレート部に対して全般的に平行に延びている。該相互連結部材はまた、第１、第２及び第３プレート部に対して一般的に垂直に配列された第１及び第２振動減衰部を含む。前記第１振動減衰部は、第１プレート部と第２振動減衰部に結合されている。前記第２振動減衰部は、第２プレート部と第３プレート部に結合されている。前記第２減衰部は、振動の一部が第１振動減衰部及び第２振動減衰部を通って第２プレート部に伝達される時、第１プレート部で誘導された振動が弱まるように、第１厚さよりも大きい第４厚さを有する。
【０００７】
本発明の他の実施例に係る電池モジュールが提供される。該電池モジュールは、少なくとも第１端子を有する第１電池セルを備える。該電池モジュールはまた、少なくとも第２端子を有する第２電池セルを備える。該電池モジュールはまた、少なくとも第３端子を有する第３電池セルを備える。該電池モジュールはまた、第１厚さを有し、前記第１端子と溶接されている第１プレート部を有する相互連結部材を備える。該相互連結部材はまた、第１厚さと同じ第２厚さを有し、前記第２端子と溶接されている第２プレート部を含む。前記第２プレート部は、第１プレート部に対して全般的に平行に延びている。前記相互連結部材はまた、第１厚さと同じ第３厚さを有し、前記第３端子と溶接されている第３プレート部を含む。該第３プレート部は、第２プレート部に対して全般的に平行に延びている。前記相互連結部材はまた、第１、第２及び第３プレート部に対して一般的に垂直に配列された第１及び第２振動減衰部を含む。前記第１振動減衰部は、第１プレート部と第２振動減衰部に結合されている。前記第２振動減衰部は、第２プレート部と第３プレート部に結合されている。前記第２減衰部は、振動の一部が第１振動減衰部及び第２振動減衰部を通って第２プレート部に伝達される時、第１プレート部で誘導された振動が弱まるように、第１厚さよりも大きい第４厚さを有する。
【図面の簡単な説明】
【０００８】
【図１】本発明の一実施例に係る相互連結部材を備えた電池モジュールの模式図である。
【図２】本発明の一実施例に係る電池モジュールに用いられる相互連結部材の模式図である。
【図３】図２の相互連結部材を得るために折り曲げるプレート部を有するプレート部材の模式図である。
【図４】図２の相互連結部材を得るために折り曲げるプレート部を有するプレート部材の模式図である。
【図５】図２の相互連結部材を得るために折り曲げるプレート部を有するプレート部材の模式図である。
【図６】図２の相互連結部材を得るために折り曲げるプレート部を有するプレート部材の模式図である。
【図７】図２の相互連結部材を得るために折り曲げるプレート部を有するプレート部材の模式図である。
【図８】図２の相互連結部材を得るために折り曲げるプレート部を有するプレート部材の模式図である。
【図９】図２の相互連結部材を得るために折り曲げるプレート部を有するプレート部材の模式図である。
【図１０】図２の相互連結部材を得るために折り曲げるプレート部を有するプレート部材の模式図である。
【図１１】図２の相互連結部材を得るために折り曲げるプレート部を有するプレート部材の模式図である。
【図１２】図２の相互連結部材を得るために折り曲げるプレート部を有するプレート部材の模式図である。
【図１３】振動減衰部を示した図２の相互連結部材の部分模式図である。
【図１４】図２の相互連結部材に電池端子を溶接するために用いられる溶接ホーン及びアンビルの模式図である。
【図１５】本発明の他の実施例に係る相互連結部材を備えた他の電池モジュールの模式図である。
【図１６】本発明の他の実施例に係る図１５の電池モジュールに用いられた相互連結部材の模式図である。
【図１７】図１６の相互連結部材を得るために折り曲げるプレート部を有するプレートアセンブリーの模式図である。
【図１８】図１６の相互連結部材を得るために折り曲げるプレート部を有するプレートアセンブリーの模式図である。
【図１９】図１６の相互連結部材を得るために折り曲げるプレート部を有するプレートアセンブリーの模式図である。
【図２０】図１６の相互連結部材を得るために折り曲げるプレート部を有するプレートアセンブリーの模式図である。
【図２１】図１６の相互連結部材を得るために折り曲げるプレート部を有するプレートアセンブリーの模式図である。
【図２２】図１６の相互連結部材を得るために折り曲げるプレート部を有するプレートアセンブリーの模式図である。
【図２３】図１６の相互連結部材を得るために折り曲げるプレート部を有するプレートアセンブリーの模式図である。
【図２４】図１６の相互連結部材を得るために折り曲げるプレート部を有するプレートアセンブリーの模式図である。
【図２５】振動減衰部を示した図１６の相互連結部材の部分模式図である。
【発明を実施するための形態】
【０００９】
以下、図面を用いて本発明をより具体的に説明するが、本発明の範ちゅうが下記の内容に限定されるものではない。
【００１０】
図１を参照すると、本発明に係る電池モジュール１０は、電池セル２０，２２，２４，２６，２８，３０，３２，３４、相互連結部材５０，５２，５４，５６，５８、及びハウジング６０を備えている。電池モジュール１０の特長は、電池モジュール１０が、振動を減らすために振動減衰部を有する相互連結部材を利用することにある。その結果、電池端子が相互連結部材の部位に超音波溶接される時、相互連結部材の他の部位において以前溶接結合の低下を低減するように、相互連結部材の他の部位において振動が減少する。
【００１１】
これらの相互連結部材をより詳しく説明するに先立ち、電池セル２０〜３４について簡単に説明する。電池セル２０〜３４は、ハウジング６０内に含まれたパウチ形本体（図示せず）を有する。それぞれの電池セル２０〜３４はまた、パウチ形本体に作動可能に結合され、ハウジング６０の外部に延びている。特に、電池セル２０は端子７０，７２を有し、電池セル２２は端子７４，７６を有している。また、電池セル２４は端子７８，８０を有し、電池セル２６は端子８２，８４を有している。また、電池セル２８は端子８６，８８を有し、電池セル３０は端子９０，９２を有している。また、電池セル３２は端子９４，９６を有し、電池セル３４は端子９８，１００を有している。
【００１２】
相互連結部材５０〜５８は、他の電池セルが電池セル２０〜２４と電気的に直列連結されるように提供される。一実施例によれば、相互連結部材５０〜５８は銅で作られている。勿論、他の実施例として、当業者に公知である他の類型の折り曲げ可能な電気伝導性物質により相互連結部材５０〜５８が作られてもよい。相互連結部材５０は溶接ジョイントを経由して端子７０，７４，７８，８２と電気的に結合されており、相互連結部材５２は溶接ジョイントを経由して端子８６，９０，９４，９８と電気的に結合されており、相互連結部材５４は溶接ジョイントを経由して端子８０，８４，８８，９２と電気的に結合されている。また、相互連結部材５６は溶接ジョイントを経由して端子７２，７６と電気的に結合されており、相互連結部材５８は溶接ジョイントを経由して端子９６，１００と電気的に結合されている。
【００１３】
相互連結部材５０、５２，５４は互いに、本発明の一実施例に係る類似な構造を有している。そのため、以下、連結部材５０を取り上げて詳細に説明するものとする。
【００１４】
図３乃至図１２を参照して、相互連結部材５０を構成するようにプレート部材５１のプレート部がフォディングされる過程について説明する。
【００１５】
図３を参照すると、プレート部材５１は、プレート部１２０，１２２，１２４，１２６，１２８，１３０，１３２，１３４，１３６，１３８、及び折り曲げ可能な部位１４０，１４１，１４２，１４４，１４５，１４６，１４８，１４９，１５０を含む。図示のように、初めには、プレート部１２０〜１３８は実質的に互いに共同の平面に配置される。プレート部１２０〜１３８はいずれも同一の厚さを有する。
【００１６】
図４を参照すると、第１折り曲げ段階において、プレート部１２０が実質的にプレート部１２２に垂直に配置され、プレート部１２０が第１方向に延びるように、使用者は折り曲げ可能な部位１４０に対してプレート部１２０を折り曲げる。
【００１７】
図５を参照すると、第２折り曲げ段階において、プレート部１２２がプレート部１２４に接し、プレート部１２０が第１方向と反対の第２方向に配置されるように、使用者は折り曲げ可能な部位１４１に対してプレート部１２２を折り曲げる。
【００１８】
図６を参照すると、第３折り曲げ段階において、プレート部１２４がプレート部１２６と垂直に配置され、プレート部１２０がプレート部１２６に平行に配置されるように、使用者は折り曲げ可能な部位１４２に対してプレート部１２４を折り曲げる。
【００１９】
図７を参照すると、第４折り曲げ段階において、プレート部１２６がプレート部１２８と垂直に配置されるように、使用者は折り曲げ可能な部位１４４に対してプレート部１２６を折り曲げる。
【００２０】
図８を参照すると、第５折り曲げ段階において、プレート部１３０がプレート部１２８に接するように、使用者は折り曲げ可能な部位１４５に対してプレート部１３０を折り曲げる。
【００２１】
図９を参照すると、第６折り曲げ段階において、プレート部１３８がプレート部１３６と垂直に配置されるように、使用者は折り曲げ可能な部位１５０に対してプレート部１３８を折り曲げる。
【００２２】
図８及び図１０を参照すると、第７折り曲げ段階において、プレート部１３６がプレート部１３４に接するように、使用者は折り曲げ可能な部位１４９に対してプレート部１３６を折り曲げる。
【００２３】
図１１を参照すると、第８折り曲げ段階において、プレート部１３６がプレート部１３２と垂直に配置されるように、使用者は折り曲げ可能な部位１４８に対してプレート部１３６を折り曲げる。
【００２４】
図１２を参照すると、第９折り曲げ段階において、プレート部１３２がプレート部１２６に平行に配置され、相互連結部材５０が得られるように、使用者は折り曲げ可能な部位１４６に対してプレート部１３２を折り曲げる。
【００２５】
図１２乃至図１４を参照すると、相互連結部材５０は、振動減衰部１６０，１６２，１６４を有する。振動減衰部１６０，１６２，１６４は、超音波ホーン１８０とアンビル１８２を用いて、プレート部１２０，１２６，１３２，１３８と電池端子との超音波溶接を行う間に生じうる振動を弱める。例えば、電池端子がプレート部１３８に超音波溶接される時、振動減衰部１６４は、プレート部１３２に振動が伝えられる前に振動を弱める。振動減衰部１６２はまた、プレート部１２６に振動が伝えられる前に振動を弱める。振動減衰部１６０はまた、プレート部１２０に振動が伝えられる前に振動を弱める。
【００２６】
振動減衰部１６０は、プレート部１２０，１２６の間に配置され、互いに結合するプレート部１２２，１２４を構成する。振動減衰部１６０は、プレート部１２０（又はプレート部１２６）の厚さの２倍の厚さを有する。
【００２７】
振動減衰部１６２は、プレート部１２８，１３０の間に配置され、互いに結合するプレート部１２６，１３２を構成する。振動減衰部１６２は、プレート部１２６（又は、プレート部１３２）の厚さの２倍の厚さを有する。
【００２８】
振動減衰部１６４は、プレート部１３４，１３６の間に配置され、互いに結合するプレート部１３２，１３８を構成する。振動減衰部１６４は、プレート部１３２（又は、プレート部１３８）の厚さの２倍の厚さを有する。
【００２９】
図１５を参照すると、本発明に係る電池モジュール２１０が示されている。電池モジュール２１０は、電池セル２２０，２２２，２２４，２２６，２２８，２３０，２３２，２３４、相互連結部材２５０，２５２，２５４，２５６，２５８、及びハウジング２６０を備えている。電池モジュール２１０の特長は、電池モジュール２１０が、振動を減らすべく振動減衰部を有する相互連結部材を利用することにある。その結果、電池端子が相互連結部材の部位に超音波溶接される時、相互連結部材の他の部位において以前溶接結合の低下を低減するように、相互連結部材の他の部位において振動が減少する。
【００３０】
上記の相互連結部材をより詳しく説明するに先立ち、電池セル２２０〜２３４を簡単に説明する。電池セル２２０〜２３４は、ハウジング２６０内に含まれたパウチ形本体（図示せず）を有する。それぞれの電池セル２２０〜２３４はまた、パウチ形本体に作動可能に結合され、ハウジング２６０の外部に延びている。特に、電池セル２２０は端子２７０，２７２を有し、電池セル２２２は端子２７４，２７６を有している。また、電池セル２２４は端子２７８，２８０を有し、電池セル２２６は端子２８２，２８４を有している。また、電池セル２２８は端子２８６，２８８を有し、電池セル２３０は端子２９０，２９２を有している。また、電池セル２３２は端子２９４，２９６を有し、電池セル２３４は端子２９８，３００を有している。
【００３１】
相互連結部材２５０〜２５８は、他の電池セルが電池セル２２０〜２２４と電気的に直列連結されるように提供される。一実施例によれば、相互連結部材２５０〜２５８は銅で構成される。勿論、他の実施例として、当業者に公知である他の類型の折り曲げ可能な電気伝導性物質により相互連結部材２５０〜２５８を構成してもよい。相互連結部材２５０は溶接ジョイントを経由して端子２７８，２８２，２８６，２９０と電気的に結合されており、相互連結部材２５２は溶接ジョイントを経由して端子２８８，２９２，２９６，３００と電気的に結合されている。相互連結部材２５４は溶接ジョイントを経由して端子２７２，２７６，２８０，２８４と電気的に結合されており、相互連結部材２５６は溶接ジョイントを経由して端子２７０，２７４と電気的に結合されている。また、相互連結部材２５８は溶接ジョイントを経由して端子２９４，２９８と電気的に結合されている。
【００３２】
相互連結部材２５０，２５２，２５４は互いに、本発明の他の実施例に係る類似の構造を有している。そのため、以下、相互連結部材２５０を取り上げて詳細に説明するものとする。
【００３３】
図１７乃至図２４を参照して、相互連結部材２５０を構成するようにプレート部材２５１のプレート部がフォディングされる過程を説明する。
【００３４】
図１７を参照すると、プレート部材２５１は、プレート部４２０，４２２，４２４，４２６，４２８，４３０，４３２，４３４、及び折り曲げ可能な部位４４０，４４１，４４２，４４３，４４４，４４５，４４６を含んでいる。図示のように、初めには、プレート部４２０〜４３４は実質的に互いに共同の平面に配置される。それぞれのプレート部４２０〜４３４は同一の厚さを有する。
【００３５】
図１８を参照すると、第１折り曲げ段階において、プレート部４２０が実質的にプレート部４２２と垂直に配置され、プレート部４２０が第１方向に延びるように、使用者は折り曲げ可能な部位４４０に対してプレート部４２０を折り曲げる。
【００３６】
図１９を参照すると、第２折り曲げ段階において、プレート部４２６がプレート部４２４と実質的と垂直に配置され、プレート部４２６が第２方向に延びるように、使用者は折り曲げ可能な部位４４２に対してプレート部４２６を折り曲げる。
【００３７】
図２０を参照すると、第３折り曲げ段階において、プレート部４３０が実質的にプレート部４２８と垂直に配置され、プレート部４３０が第１方向に延びるように、使用者は折り曲げ可能な部位４４４に対してプレート部４３０を折り曲げる。
【００３８】
図２１を参照すると、第４折り曲げ段階において、プレート部４３４が実質的にプレート部４３２と垂直に配置され、プレート部４３４が第２方向に延びるように、使用者は折り曲げ可能な部位４４６に対してプレート部４３４を折り曲げる。
【００３９】
図２２を参照すると、第５折り曲げ段階において、プレート部４３２がプレート部４２８に隣接して接するように、使用者は折り曲げ可能な部位４４５に対してプレート部４３２を折り曲げる。
【００４０】
図２３を参照すると、第６折り曲げ段階において、プレート部４２２がプレート部４２４に隣接して配置され、プレート部４２０がプレート部４２６と実質的に平行に配置されるように、使用者は折り曲げ可能な部位４４１に対してプレート部４２２を折り曲げる。
【００４１】
図２１及び図２４を参照すると、第７折り曲げ段階において、プレート部４２４がプレート部４３２に隣接して配置されて接し、相互連結部材２５０が得られるように、使用者は折り曲げ可能な部位４４３に対してプレート部４２４を折り曲げる。
【００４２】
図１６、図２４及び図２５を参照すると、相互連結部材２５０は振動減衰部４６０，４８０を有する。振動減衰部４６０，４８０は、超音波ホーン１８０とアンビル１８２を用いて、プレート部４２０，４２６，４３０，４３４と電池端子との超音波溶接を行う間に生じうる振動を弱める。例えば、電池端子がプレート部４３４に超音波溶接される時、振動減衰部４６０は、プレート部４２６，４２０に振動が伝えられる前に振動を弱める。振動減衰部４８０もまた、プレート部４３０に振動が伝えられる前に振動を弱める。
【００４３】
振動減衰部４６０は、プレート部４２２，４２４，４２８を含み、プレート部４３２の一部はプレート部４２６，４２０の間に配置され結合される。振動減衰部４６０は、プレート部４２０，４２６，４３０，４３４のいずれかの厚さの４倍の厚さを有する。
【００４４】
振動減衰部４８０は、プレート部４２０，４３０の間に配置され結合されるプレート部４３２，４２８を構成する。振動減衰部４８０はプレート部４３０，４２０のいずれかの厚さの２倍の厚さを有する。
【００４５】
例示的な実施例を参照して本発明を説明してきたが、当業者にとっては本発明の範ちゅうから逸脱することなく構成要素に対して様々な変形や均等の置換が行えるということが理解されるであろう。しかも、本発明の本質的な範囲を外れることなく本発明の教示に特別な状況又は物質を適用するために様々な修正が行なわれてもよい。したがって、本発明は、本発明を行うために開示された特定実施例に限定されず、添付の請求項の範ちゅうに属するいかなる実施例をも含むものとして意図される。
【産業上の利用可能性】
【００４６】
上記の電池モジュールと相互連結部材は、他の電池モジュールと相互連結部材に比べて実質的な利点を提供する。特に、上記電池モジュールは、振動を弱めるための振動減衰部を有する相互連結部材を用いる技術的効果を提供する。その結果、端子が相互連結部材と超音波溶接される時、以前に形成された溶接ジョイントが低下する可能性が低くなる。
【符号の説明】
【００４７】
１０  電池モジュール
２０，２２，２４，２６，２８，３０，３２，３４  電池セル
５０，５２，５４，５６，５８  相互連結部材
６０  ハウジング
７０、７２、７４、７６、７８、８０、８２、８４、８６、８８、９０、９２、９４、９６、９８、１００  端子
１２０，１２２，１２４，１２６，１２８，１３０，１３２，１３４，１３６，１３８  プレート部
１４０，１４１，１４２，１４４，１４５，１４６，１４８，１４９，１５０  折り曲げ可能な部位
【図１】
0005824151.tif 000002
【図２】
0005824151.tif 000003
【図３】
0005824151.tif 000004
【図４】
0005824151.tif 000005
【図５】
0005824151.tif 000006
【図６】
0005824151.tif 000007
【図７】
0005824151.tif 000008
【図８】
0005824151.tif 000009
【図９】
0005824151.tif 000010
【図１０】
0005824151.tif 000011
【図１１】
0005824151.tif 000012
【図１２】
0005824151.tif 000013
【図１３】
0005824151.tif 000014
【図１４】
0005824151.tif 000015
【図１５】
0005824151.tif 000016
【図１６】
0005824151.tif 000017
【図１７】
0005824151.tif 000018
【図１８】
0005824151.tif 000019
【図１９】
0005824151.tif 000020
【図２０】
0005824151.tif 000021
【図２１】
0005824151.tif 000022
【図２２】
0005824151.tif 000023
【図２３】
0005824151.tif 000024
【図２４】
0005824151.tif 000025
【図２５】
0005824151.tif 000026